(57)【要約】【課題】遠隔位置の電気機器に接続されたパッチ部材及び少なくとも一つの通信装置を含む単一の容器を含む包囲体装置を提供する。【解決手段】通信装置は、遠隔位置の電気機器から受け取ったデータを処理するためのマイクロプロセッサを含んでいてもよい。包囲体装置は、多くの場合、ビルディング自動化機器と関連して使用される。【選択図】図１
2006340595.tif 000002
【特許請求の範囲】
【請求項１】
包囲体装置において、
ビルディング構造に取り付けることができるベース部材及びこのベース部材に連結された壁を含む一つの容器、
前記一つの容器内に位置決めされた、前記一つの容器から遠隔の第１位置から前記一つの容器に進入する少なくとも一つのデータケーブルに接続された移動自在のパッチ部材、及び
マイクロプロセッサを含む、前記一つの容器内に位置決めされた、前記パッチ部材に接続された少なくとも一つの通信装置を含む、包囲体装置。
【請求項２】
請求項１に記載の包囲体装置において、前記マイクロプロセッサは、前記第１遠隔位置から受け取ったデータを処理するようになっている、包囲体装置。
【請求項３】
請求項１に記載の包囲体装置において、前記壁の少なくとも一つが、ベントを持つ開口部を画成する、包囲体装置。
【請求項４】
請求項１に記載の包囲体装置において、少なくとも一つの壁に接地スタッドが固定されている、包囲体装置。
【請求項５】
請求項１に記載の包囲体装置において、少なくとも一つの壁は、少なくとも一つのデータケーブルを受け入れるための穴を画成する、包囲体装置。
【請求項６】
請求項１に記載の包囲体装置において、前記容器内に位置決めされた、前記通信装置を受け入れて支持するための取り付け装置を更に含む、包囲体装置。
【請求項７】
請求項１に記載の包囲体装置において、前記通信装置は、制御装置及びセンサのうちの少なくとも一つを含む、包囲体装置。
【請求項８】
請求項１に記載の包囲体装置において、前記パッチ部材は少なくとも一つの電気コネクタを含み、この電気コネクタは、少なくとも一つの同軸コネクタ、Ｄ−サブ−ミニコネクタ、打ち抜きコネクタ、光ファイバコネクタ、及びラック取り付けモジュラーエサーネットコネクタを含む、包囲体装置。
【請求項９】
請求項１に記載の包囲体装置において、前記少なくとも一つの通信装置は、前記第１位置及び前記一つの容器から遠隔の第２位置に接続可能であり、前記第２位置は加熱機器及び冷却機器のうちの少なくとも一方、物理的アクセス制御機器、火災検出機器、及びビデオ監視機器、照明機器、及び時間関連機器を含む、包囲体装置。
【請求項１０】
請求項１に記載の包囲体装置において、前記パッチ部材と前記通信装置との間に位置決めされたバリア壁を含むケーブルセパレーターを更に有する、包囲体装置。
【請求項１１】
包囲体装置において、
ビルディング構造に取り付けることができるベース部材を含む一つの容器であって、前記ベース部材に連結された上壁、下壁、及び側壁を更に含む一つの容器、
前記ベース部材及び前記壁の少なくとも一つに画成された、一つ又はそれ以上のケーブルを受け入れるための少なくとも一つの穴、
前記一つの容器内に位置決めされた、前記一つ又はそれ以上のケーブルと電気的接続を形成するための少なくとも一つのパッチ部材、及び
前記容器内に位置決めされた、前記容器の前記側壁とほぼ平行な方向に延びるバリア壁を含む少なくとも一つのケーブルセパレーターを含む、包囲体装置。
【請求項１２】
請求項１１に記載の包囲体装置において、前記少なくとも一つのケーブルセパレーターは、間にチャンネルを画成する向き合ったバリア壁を含み、前記チャンネルは前記少なくとも一つの穴とほぼ整合している、包囲体装置。
【請求項１３】
請求項１２に記載の包囲体装置において、前記チャンネル上に位置決めされた、ヒンジ止めされたカバーを更に含む、包囲体装置。
【請求項１４】
請求項１３に記載の包囲体装置において、前記少なくとも一つのケーブルセパレーターは、逆Ｕ字形を形成するように形体を備えている、包囲体装置。
【請求項１５】
請求項１１に記載の包囲体装置において、前記ケーブルセパレーターは、隣接したケーブル間に誘電バリアを提供する、包囲体装置。
【請求項１６】
請求項１１に記載の包囲体装置において、前記ケーブルセパレーターは、プラスチック及び金属のうちの少なくとも一方で形成されている、包囲体装置。
【請求項１７】
請求項１１に記載の包囲体装置において、ケーブルの半径方向移動を制限するための拘束体を更に含む、包囲体装置。
【請求項１８】
包囲体装置において、
ビルディング構造に取り付けることができるベース部材及びこのベース部材に連結された壁を含む一つの容器、
前記一つの容器内に位置決めされた、前記一つの容器から遠隔の第１位置から前記一つの容器に進入する少なくとも一つのデータケーブルに接続された移動自在のパッチ部材、及び
前記パッチ部材を通して前記少なくとも一つのデータケーブルに接続できる少なくとも一つの通信装置を受け入れるようになった取り付け装置を含む、包囲体装置。
【請求項１９】
請求項１８に記載の包囲体装置において、前記パッチ部材は少なくとも一つのパッチパネル、打ち抜き配線ブロック、及びその組み合わせを含む、包囲体装置。
【請求項２０】
請求項１８に記載の包囲体装置において、前記取り付け装置は、等間隔に間隔が隔てられた穴、ブラケット、及びその組み合わせを含む少なくとも一つの取り付けパネルを含む、包囲体装置。
【請求項２１】
ビルディング内でデータを伝送するためのシステムにおいて、
第１位置内に位置決めされており且つ少なくとも一つのデータケーブルに接続された電気機器と、
前記第１位置から遠隔の一つの容器であって、ビルディング構造に取り付けることができるベース部材及びこのベース部材に連結された壁を含み、パッチ部材及びマイクロプロセッサを含む少なくとも一つの通信装置を更に含み、前記パッチ部材及び通信装置は少なくとも一つのデータケーブルに接続されており、前記通信装置は少なくとも一つのデータケーブルに前記パッチ部材を通して接続されている、容器とを含み、
前記通信装置は、前記電気機器からデータを受け取り、これらのデータを処理し、処理したデータに基づいて、ビルディング内の前記第１位置及び第２位置の少なくとも一方に通信を伝送するようになっており、前記第２位置は、前記第１位置及び前記一つの容器から遠隔にある、システム。
【請求項２３】
請求項２１に記載のシステムにおいて、前記少なくとも一つのデータケーブルは、エサーネットデータケーブルである、システム。
【請求項２４】
請求項２１に記載のシステムにおいて、前記一つの容器は、ビルディングのプレナムに取り付けられている、システム。
【請求項２５】
請求項２１に記載のシステムにおいて、前記通信装置は、制御装置及びセンサのうちの少なくとも一つを含む、システム。
【請求項２６】
請求項２１に記載のシステムにおいて、前記壁の少なくとも一方が、ベントを含む開口部を画成する、システム。
【請求項２７】
請求項２１に記載のシステムにおいて、接地スタッドが前記壁の少なくとも一方に固定されている、システム。
【請求項２８】
請求項２１に記載のシステムにおいて、通信装置を受け入れて支持するための取り付け装置が、更に、前記容器内に位置決めされている、システム。
【請求項２９】
請求項２１に記載のシステムにおいて、前記第２遠隔位置には、加熱機器及び冷却機器のうちの少なくとも一方、物理的アクセス制御機器、火災感知器、及びビデオ監視機器、照明機器、及び時間関連機器を含む電気機器が設けられている、システム。
【請求項３０】
請求項２１に記載のシステムにおいて、前記通信装置は、システムの他の装置と無線で通信するようになっている、システム。
【発明の詳細な説明】
【技術分野】
【０００１】
本願は、２００５年５月２４日に出願された米国仮特許出願第６０／６８４，０８５号の優先権を主張するものである。同特許出願に触れたことにより、この特許出願に開示された内容は本明細書中に含まれたものとする。
【０００２】
本発明は、包囲体装置に関し、更に詳細には、電気機器及びケーブル接続部と関連した包囲体装置に関する。
【背景技術】
【０００３】
ビルディング、特にオフィスビルディングは、多くの場合、電気機器及び電気コネクタを収容するための様々な包囲体を含む。ケーブルの複雑なパスワークが電気機器及びコネクタを接続する。ケーブルが、主機械室内に配置された電気機器を、例えば異なるフロアに設けられた電気通信室内に配置された電気通信機器に接続する。電気通信機器と関連したケーブルが、更に、エサーネット接続部等の電気接続部を形成するため、様々なフロアに亘って戦略的に配置されたゾーンに位置決めされた別の包囲体内に延びる。
【０００４】
多くの場合に「ゾーンボックス」と呼ばれるこれらの包囲体は、代表的にはゾーンボックスから遠隔の位置に位置決めされた電気通信機器から延びるケーブルを受け入れるようになった電気コネクタを収容している。パソコン、プリンター、ワークステーション、及び特定のビデオカメラ等の様々な局所的装置との接続を形成するため、追加のケーブルが電気コネクタから特定の作業領域即ちカバー領域まで延びていてもよい。
【０００５】
更に別の包囲体が、データ通信室等の遠隔位置又はビルディング自動化機器等の局所的装置が設けられた他の遠隔位置から受け取ったデータを処理するようになった特定用途用制御装置等の通信装置を収容していてもよい。データ処理を行うため、通信装置は、一方では、ゾーンボックスに接続されており、他方では局所的装置に直接接続されている。このように、電気通信室と局所的装置との間に二方向通信が確立され、維持される。多くの場合、導管、レースウェイ、トレー又はラダー等のケーブル経路を使用してこれらのケーブルを設置する。
【０００６】
かくして、ビルディングでは、様々な装置用の多数の包囲体が使用され、ケーブルが電気通信室からゾーンボックス包囲体まで延びており、ケーブルが様々な局所的装置から他の包囲体に収容された通信装置まで延びている。この形体により、最初に必要とされる材料の量が多くなり、初期設置労力が多くなり、ビルディングシステムの更新及び変更に更に費用がかかる。
【０００７】
従って、様々な電気機器、コネクタ、及びケーブルを収容する包囲体装置が必要とされている。包囲体装置は、好ましくは、様々なビルディング環境での使用及び適合が容易である。
【発明の開示】
【発明が解決しようとする課題】
【０００８】
本発明は、改良包囲体装置並びにこの装置を使用するためのシステム及び方法に関する。
【課題を解決するための手段】
【０００９】
一実施例では、包囲体装置は、ビルディング構造に取り付けることができるベース部材及びこのベース部材に連結された壁を含む一つの容器、一つの容器内に位置決めされた移動自在のパッチ部材、及び一つの容器内に位置決めされた、マイクロプロセッサを含む少なくとも一つの通信装置を含む。パッチ部材は、一つの容器から遠隔の第１位置から一つの容器に進入する少なくとも一つのデータケーブルに接続されており、通信装置はパッチ部材に接続されている。
【００１０】
別の実施例では、包囲体装置は、ビルディング構造に取り付けることができるベース部材を含む一つの容器であって、ベース部材に連結された上壁、下壁、及び側壁を更に含む一つの容器、ベース部材及び壁の少なくとも一つに画成された、一つ又はそれ以上のケーブルを受け入れるための少なくとも一つの穴、一つの容器内に位置決めされた少なくとも一つのパッチ部材、及び、容器内に位置決めされた、容器内に位置決めされており且つ容器の側壁とほぼ平行な方向に延びるバリア壁を含む少なくとも一つのケーブルセパレーターを含む。パッチ部材は、一つ又はそれ以上のケーブルに電気的に接続されている。
【００１１】
更に別の実施例では、本発明の包囲体装置は、ビルディング構造に取り付けることができるベース部材及びこのベース部材に連結された壁を含む一つの容器、一つの容器内に位置決めされた移動自在のパッチ部材、及び少なくとも一つの通信装置を受け入れるようになった取り付け装置を含み、前記通信装置は、パッチ部材を通して少なくとも一つのデータケーブルに接続できる。パッチ部材は、一つの容器から遠隔の第１位置から一つの容器に進入する少なくとも一つのデータケーブルに接続されていてもよい。
【００１２】
包囲体装置は、追加の特徴及び構造を含んでいてもよい。容器の壁は、少なくとも一つのデータケーブルを受け入れるための穴を画成してもよい。
パッチ部材は、更に、Ｄサブミニコネクタ、押し込みコネクタ、光ファイバコネクタ、及びラック取り付けモジュラーエサーネットコネクタのうちの少なくとも一つを含む少なくとも一つの電気コネクタを含んでいてもよい。通信装置は、制御装置又はセンサを含んでいてもよく、マイクロプロセッサは、第１遠隔位置から受け取ったデータを処理するようになっていてもよい。装置は、更に、等間隔に間隔が隔てられた複数の穴を含む取り付け装置を含んでいてもよく、及び／又は隣接したケーブル間に誘電バリアを抵抗するためのバリア壁を含むケーブルセパレーターを含んでいてもよい。二つ又はそれ以上の向き合ったバリア壁は、その間にチャンネルを画成してもよい。チャンネルは、ヒンジ止めされたカバーで保護できる。これらのバリアは、更に、パッチ部材を通信装置から離間するのを補助するため、逆Ｕ字形状を形成する形体を備えていてもよい。包囲体装置は、更に、ケーブルの半径方向移動を制限するための拘束体を含んでいてもよい。
【００１３】
別の実施例では、本発明は、データを伝送するためのシステムに関する。一つのこのような実施例では、システムは、第１位置内に位置決めされており且つ少なくとも一つのデータケーブルに接続された電気機器と、第１位置から遠隔の一つの容器を含む。この一つの容器は、ビルディング構造のプレナムに取り付けることができるベース部材及びこのベース部材に連結された壁を含み、パッチ部材及びマイクロプロセッサを含む少なくとも一つの通信装置を更に含み、パッチ部材及び通信装置は少なくとも一つのデータケーブルに接続されており、通信装置はパッチ部材を通して少なくとも一つのデータケーブルに接続されている。更に、通信装置は、電気機器からデータを受け取り、これらのデータを処理し、処理したデータに基づいて、ビルディング内の第１位置及び第２の位置の少なくとも一つの電気機器に通信を伝送する。代表的には、第２位置は、第１位置及び一つの容器から遠隔にあり、ビルディング自動化機器を含んでいてもよい。
【００１４】
システムは、更に、様々な他の構成要素を含んでいてもよい。例えば、一つの容器の壁は、接地スタッド及びベントを含んでいてもよい。前記少なくとも一つのデータケーブルは、エサーネットデータケーブルであってもよい。通信装置は、制御装置及びセンサのうちの一つを含んでいてもよく、ビルディング内の他の装置と無線通信していてもよい。システムは、更に、通信装置を受け入れて支持するために容器内に位置決めされた取り付け装置を含んでいてもよい。
【００１５】
本発明の開示は、ビルディングを配線するための方法でも使用できる。本方法は、少なくとも一つのパッチ部材及び少なくとも一つの通信装置を含む単一の包囲体を提供する工程、中央通信領域から延びる第１ケーブルをパッチ部材に接続する工程、及び少なくとも一つのパッチ部材からの第２ケーブルを前記少なくとも一つの通信装置に接続する工程を含む。
【００１６】
本発明の特定の実施例を添付図面に示す。添付図面は、必ずしも縮尺が同じではなく、本発明の理解にとって不要な細部、又は他の細部をわかり難くしてしまう細部は省略してあるということは理解されるべきである。勿論、本発明は、本明細書中に例示した特定の実施例に限定されないということは理解されるべきである。
【発明を実施するための最良の形態】
【００１７】
本発明は、包囲体装置及びこの包囲体装置を使用するためのシステム又は方法に関する。包囲体装置は、ビルディングに取り付けることができるベース部材及びこのベース部材に連結された壁を含む一つの容器を含む。遠隔の位置からの少なくとも一つのデータケーブルに接続された移動自在のパッチ部材が一つの容器内に位置決めされている。少なくとも一つのデータケーブルにパッチ部材を通して接続された一つ又はそれ以上の通信装置もまた、一つの容器内に設けられている。一つ又はそれ以上の通信装置は、ビルディング自動化機器を含む局所的装置を作動するための制御装置等の低電圧機器、又は高電圧機器を含んでいてもよい。低電圧機器又は高電圧機器と関連したケーブルは、パッチ部材内に延び、これに接続される。包囲体は壁に取り付けられていてもよく、又はビルディングの天井や床内に取り付けられていてもよい。
【００１８】
次に図１を参照すると、この図には、本発明の包囲体装置１０の一実施例が示してある。包囲体装置１０は、容器１１、扉１２、移動自在のパッチ部材１４、取り付け装置１６、少なくとも一つの冷却ポート１８、及び通信装置２２を含んでいてもよい。本明細書中で使用されているように、パッチ部材１４という用語は、ケーブルで使用される電気コネクタを保持するための任意の装置を意味する。特定の実施例では、パッチ部材１４と通信装置２２との間の距離ｄは、約２．５４ｃｍ乃至約１５２．４ｃｍ（約１．０インチ乃至約６０．０インチ）であり、更に詳細には約１５．２４ｃｍ乃至約６３．５ｃｍ（約６．０インチ乃至約２５．０インチ）である。
【００１９】
包囲体１０は、ベース部材１３及び壁１５を持つ容器１１を含む。容器１１は、更に、上部分２３及び下部分２４を含んでいてもよい。ベース部材１３は、ビルディング構造に取り付けられるようになっており、ブラケット、ファスナ、等を含んでいてもよい。壁１５は、上壁２５、下壁２７、及び側壁２９を含んでいてもよい。上部分２３は、代表的には、パッチ部材１４を含んでいるが、パッチ部材１４は包囲体１０の様々な位置に配置できる。下部分２４は、代表的には取り付けパネル１６を含み、これは、包囲体１０全体に亘って配置できる。上壁２５、下壁２７、及び側壁２９の各々は、遠隔の位置にある電気機器からのケーブルを受け入れるため、打ち抜き部即ち穴３１が設けられていてもよい。第１の遠隔の位置にある電気機器には、例えば、電気通信室内の電気通信機器、メインサーバー、又はビルディングに亘って配置されたビルディング自動化機器が含まれる。
【００２０】
扉１２は、包囲体１０にヒンジ止めされていてもよいし、ねじ止めされていてもよい。扉１２は、随意であるが、扉を包囲体１０に設置した後に電気部品を見るための窓２６を備えている。扉１２は、電気部品に不正に侵入することがないようにするための係止アッセンブリ（図示せず）を含んでいてもよい。
【００２１】
パッチ部材１４は、モジュール式パッチパネル、打ち抜き配線ブロック、これらの組み合わせ等の形態をとってもよい。パッチ部材１４は電気コネクタ３０を含んでいてもよく、これには、同軸コネクタ、Ｄサブミニコネクタ、光ファイバコネクタ、及びＲＪ４５ジャック等のラック取り付けモジュラーエサーネットコネクタ、打ち抜きフォーマット、等が含まれる。第１ケーブル３２は、遠隔の位置に位置決めされた電気機器からパッチ部材１４のコネクタ３０まで延びていてもよい。第２ケーブル３３は、パッチ部材１４から通信装置２２まで及び通信装置２２からパッチ部材１４まで延びていてもよい。
【００２２】
図２に示すように、移動自在のパッチ部材１４は、下方に傾けることによって、パッチ部材１４の前側及び後側の両方から進入するケーブル３２に容易にアクセスできるようにするためのヒンジ３５を含んでいてもよい。この形体により、ケーブル接続部の後側に物理的にアクセスでき、そのため、設置者及び保守員はハードウェアを見ることができ、見えないように隠された接続部に作用が及ぼされないようにする。
【００２３】
図３を参照すると、取り付け装置１６は、通信装置２２を受け入れるようになった複数の取り付け穴３６が設けられたパネルを含んでいてもよい。取り付け装置１６は、当業者に周知の様々なファスナで様々な機器パッケージを手早く受け入れることができる。一実施例では、フランジを備えたハウジングやＤＩＮレール等の取り付け装置でセルフタッピンねじを使用してもよい。変形例では、取り付け装置１６は、標準ラックユニットブラケット、打ち抜きブロック、等の様々なパッチエレメントを取り付け装置１６に直接取り付けることができるようにするため、実際上、包囲体１０の内部領域全体に亘って設けられている。取り付け装置１６は、更に、ブラケットだけを含んでいてもよい。
【００２４】
冷却ポート１８は、包囲体１０内に位置決めされた能動電子機器を冷却するようになっている。包囲体１０は、強制的に冷却するためのファン等の用の取り付け設備を備えていてもよい。
【００２５】
ビルディングのレイアウト及びビルディング内での包囲体装置１０の位置に応じて、通信装置２２は、低電圧機器及び高電圧機器の一方又は両方を含んでいてもよい。通信装置２２は、代表的には、第１ケーブル３２が包囲体装置から遠隔の第１位置から受け取ったデータを処理するためのマイクロプロセッサを含む。通信装置２２は、更に、処理したデータに基づいて、通信を、第１遠隔位置のデータ源又は第１位置及び包囲体装置１０から遠隔の第２位置に位置決めされた他の装置に伝達するようになっている。第１及び第２の遠隔位置の装置は、容器１１内の通信装置２２に導線で直接接続されていてもよいし、電気信号又は高周波信号を介して無線通信していてもよいということに着目されたい。このような場合には、通信装置２２は、代表的には、更に別の遠隔位置に接続するために、パッチ部材１４に接続されたままである。様々な種類の低電圧機器を使用できる。低電圧機器には、例えば、プログラム可能論理制御装置、アクセス制御モジュール、ＨＶＡＣ制御装置、照明制御装置等の制御装置、及び環境センサ、又は遠隔アンテナを持つ無線トランシーバー等の検出装置が含まれる。別の態様では、又は追加として、低電圧機器には、ねじターミナルブロック、ディンレールが取り付けられた機器、データケーブル用打ち抜きブロック、ラック取り付けブラケット、機器、スイッチ又はパッチパネル、リレー、データ獲得ユニット、ファイバ−銅線媒体変換器、プロトコルメディエータボックス、電源、及びグラフィックディスプレーが含まれる。この低電圧機器は、多くの場合、ビルディング自動化機器（例えば、ＨＶＡＣシステム、物理的アクセス制御システム、火災感知器、及びビデオ監視システム、点灯システム、ページングシステム、クロックシステム、等）等の局所的装置３７に接続される。
【００２６】
高電圧機器３８は、ねじターミナルブロック、電力遮断スイッチ、キャビネットライト、ヒューズブロック、回路遮断器、変圧器、高電圧バリアスイッチ、又は電力ストリップを含んでいてもよい。高電圧機器３８は、パッチ部材１４に接続されていてもよいが、高電圧機器３８によっては、代表的には、包囲体１０の下部分２４に位置決めされ、そのように接続されていなくてもよい。更に、高電圧機器は、通信装置２２に電源として接続されていてもよい。放電や電気ショックを阻止するのを補助するため、保護バリアが高電圧機器の少なくとも一部を包囲していてもよい。保護バリアは、金属製であっても誘電体であってもよく、透明誘電体であってもよい。
【００２７】
随意であるが、図２に示すように、接地スタッド４０が包囲体１０に追加されていてもよい。接地スタッド４０の目的は、望ましからぬ放電が起こらないようにするために包囲体装置１０を接地することである。
【００２８】
図４及び図５に示すように、包囲体１０は、打ち抜き部即ち穴３１、及びケーブルを受け入れて管理するためのケーブルセパレーター４２を含んでいてもよい。打ち抜き部３１は、遠隔位置からの来入ケーブルを受け入れるようになった穴を含み、容器１１のベース部材１３、上壁２５、下壁２７、及び側壁２９に位置決めされていてもよい。打ち抜き部３１は、好ましくは、ケーブル束が交差しないように構成されている。
【００２９】
図５で最もよくわかるように、少なくとも一つのバリア壁を含むケーブルセパレーター４２は、隣接した第１及び第２のケーブル３２及び３３間を分離し且つ誘電障壁を提供するように設計されており、ポリ塩化ビニル等のプラスチック又は金属の一方で形成されていてもよい。セパレーター４２は、ケーブル３２及び３３を打ち抜き部３１での進入箇所から、ケーブル３２及び３３が接続される通信装置２２のところまで又はその近くまで隔離する。セパレーター４２は、有利には、高電圧ケーブル（例えば６００Ｖｒｍｓの絶縁を備えたケーブル）が低電圧ケーブル（例えば３００Ｖｒｍｓの絶縁を備えたケーブル）と物理的に接触しないようにする。セパレーター４２は、チャンネル５０を間に画成する向き合った壁を含んでいてもよい。チャンネル５０は、代表的には、軸線ａに沿って打ち抜き部３１と整合し、ケーブル３２及び３３を向き合った壁間に固定するため、ヒンジ止めされたカバー５２がチャンネル５０に亘って位置決めされていてもよい。
【００３０】
ケーブルセパレーター４２の位置は変更可能である。ケーブルセパレーター４２は、代表的には、容器１１の側壁２９と平行に位置決めされる。セパレーター４２は、更に、図４及び図５に示すように逆Ｕ字形状を形成するように形成されていてもよい。この配向は、パッチ部材１４及び通信装置２２を分離し、ケーブル３２及び３３が通信装置２２及び高電圧機器３８と接触しないようにする。
【００３１】
更に包囲体１０内のケーブルを管理するため、拘束体５４が設けられていてもよい。拘束体５４は、ケーブル３２及び３３の移動を半径方向で制限し、代表的には、パッチ部材１４と隣接して位置決めされる。図５に示すようにパッチ部材１４に十分なケーブル緩みが提供されている場合には、パッチ部材１４の移動によりケーブル束全体がチャンネル５０内で移動することはない。更に、拘束体５４により、一本のケーブル３２及び３３に望ましからぬ引っ張りが加わったときにケーブル束が並進しないようにできる。拘束体５４は、ケーブルタイを含んでいてもよい。
【００３２】
包囲体１０は、エサーネット通信経路を使用するビルディング自動化機器で特に有用である。エサーネットケーブルは、ビルディング自動化機器からパッチ部材１４及び通信装置２２まで延びていてもよい。これらのパッチ部材１４及び通信装置２２は全て、単一の容器１１内に位置決めされる。
【００３３】
包囲体１０及び取り付けパネル１６は、金属又は当業者に周知の同様の他の材料で形成されていてもよい。これらの部品は、機械加工で形成されていてもよい。ヒンジ止めされたパッチ部材１４が設置されており、通信装置２２の寸法は、包囲体内でのそれらの夫々の位置を決定するように計算される。その後、これらの構成要素を包囲体１０内の取り付け装置１６に取り付けることができる。
【００３４】
包囲体１０は、その製造後、ビルディングの壁やプレナム空間内に取り付けられてもよい。プレナムという用語は、本明細書中で使用されているように、床下や天井の中等のビルディング内での空気の分配に影響を及ぼすのに使用される閉鎖空間を意味する。多くの場合、床下の空間、又は構造の天井と吊り天井との間の空間をビルディングのＨＶＡＣ設計のプレナム空間として使用する。包囲体１０がこのようなプレナム空間内に位置決めされている場合には、代表的には床の下面に、又は構造天井に取り付けられる。包囲体１０に進入するケーブルは、包囲体１０内の空気流がプレナム空間内に出ないように、圧縮されたガスケットでシールされていてもよい。かくして、包囲体１０の内部とプレナム空間との間で空気を交換するための冷却ポート１８等の構成要素を包囲体１０からなくしてもよい。この他の変更を包囲体１０に加えてもよい。包囲体１０が天井内に位置決めされている場合には、例えば、アクセスを容易にするため、扉１２を包囲体１０の下部にヒンジ止めし、電気構成要素を扉１２に取り付けてもよい。
【００３５】
包囲体の取り付け後、パッチ部材１４をそのヒンジを中心として下方に傾け（図３参照）、図１に示すように、包囲体装置１０から遠隔の位置にある電気通信機器から延びる第１ケーブル３２をパッチ部材１４の後部に固定する。通信装置から延びる第２ケーブル３３は、パッチ部材１４の前部に解放自在に固定されていてもよい。ケーブルセパレーター４４を使用する場合、第１及び第２のケーブル３２及び３３は、高電圧ケーブル及び低電圧ケーブルが混じり合わないようにチャンネル５０内に位置決めされていてもよい。しかしながら、ケーブルの接続点を逆にしてもよい。
【００３６】
本発明の包囲体装置を使用するシステムの一実施例は、図４の概略図に示してある。図４に示すように、電気通信室から延びる第１ケーブル３２は単一の容器１１内に延びる。この容器もまた通信装置２２を含む。電気通信機器から延びる第１ケーブル３２及び通信装置２２から延びる第２ケーブル３３は、パッチ部材１４内に位置決めされた少なくとも一つの電気コネクタに接続されている。これらの接続は、エサーネット通信装置を含んでいてもよいし含んでいなくてもよい。
【００３７】
本発明の包囲体装置１０は、多くの利点を提供する。パッチ部材１４用及び他の通信装置２２用の別体のボックスをなくすことによって、包囲体空間、材料費用、及び労働費用を節約できる。この形体は、更に、低電圧機器からゾーンボックスまで延びるケーブルが外部環境に露呈されるのでなく、導電性包囲体により保護されるという利点があるため、無線周波妨害に対する不感域を大きくする。包囲体１０は、更に、単一の包囲体内の様々な構成要素に手早くアクセスできるため、保守を容易にする。同様に、移動、追加、及び変更が簡単になる。これは、エサーネットによって可能になったアクチュエータ、センサ、及び他の末端の装置の発展及び採択により、従来の機器の分解及び取り外しをあまり必要としないためである。放棄された特定用途用制御エレメントを本発明のゾーン包囲体から取り外すことによって、ミッドスパンパワーインジェクター、スイッチ、パッチパネル、パワースプリッター、及び他の周辺装置等のエサーネット機器用の追加の空間が提供される。
【００３８】
当業者は、本発明の精神及び範囲から逸脱することなく、本明細書中の開示の変形、変更、及び他の実施例を思いつくであろう。従って、本発明は、以上の例示の実施例によって制限されない。
【図面の簡単な説明】
【００３９】
【図１】ケーブルをビルディング内に設置するための本発明の包囲体装置の一実施例の斜視図である。
【図２】ヒンジ止めされたパッチ部材をその下位置で示す、ケーブルや制御装置が示してない図１の発明の斜視図である。
【図３】図３Ａは図１の発明の正面図である。図３Ｂは図３−Ａに示す取り付けボードの拡大図である。
【図４】ケーブルセパレーターを更に含む、本発明の包囲体装置を前方から見た斜視図である。
【図５】図４のケーブルセパレーターを示す、本発明の包囲体装置の正面図である。
【図６】本発明のシステムの一実施例の概略図である。
【符号の説明】
【００４０】
１０  包囲体装置
１１  容器
１３  ベース部材
１２  扉
１４  パッチ部材
１５  壁
１６  取り付け装置
１８  冷却ポート
２２  通信装置
２３  上部分
２４  下部分
２５  上壁
２７  下壁
２９  側壁
３１  打ち抜き部
３０  電気コネクタ
３２  第１ケーブル
３３  第２ケーブル
３５  ヒンジ
３６  取り付け穴
【図１】
2006340595.tif 000003
【図２】
2006340595.tif 000004
【図３】
2006340595.tif 000005
【図４】
2006340595.tif 000006
【図５】
2006340595.tif 000007
【図６】
2006340595.tif 000008
【外国語明細書】
2006340595000001.pdf